(57)【特許請求の範囲】
【請求項１】
靴底の安定要素であって、
ａ．少なくとも１つの開口を備える第１のプレートと、
ｂ．前記開口内に少なくとも一部配置され、前記第１のプレートよりも実質的に高い剛性を有する第２のプレートと、
ｃ．前記開口内に少なくとも一部配置され、前記第２のプレートの上に少なくとも一部配置された第３のプレートとを備え、前記第３のプレートが、前記第２のプレートよりも実質的に高い剛性を有する、
安定要素。
【請求項２】
前記第２のプレートのベース材料および前記第３のプレートのベース材料が繊維で強化される、請求項１に記載の安定要素。
【請求項３】
靴底の安定要素であって、
ａ．少なくとも１つの開口を備える第１のプレートと、
ｂ．前記開口内に少なくとも一部配置された第２のプレートと、
ｃ．前記開口内に少なくとも一部配置され、前記第２のプレートの上に少なくとも一部配置された第３のプレートとを備え、前記第３のプレートが、前記第２のプレートよりも実質的に高い剛性を有し、
前記第２のプレートのベース材料および前記第３のプレートのベース材料が繊維で強化される、
安定要素。
【請求項４】
前記第２のプレートが５％〜２０％の繊維強化材を含み、前記第３のプレートが２０％〜５０％の繊維強化材を含む、請求項３に記載の靴底用の安定要素。
【請求項５】
前記繊維がガラス繊維である、請求項２〜４のいずれか一項に記載の靴底用の安定要素。
【請求項６】
前記第１のプレートのベース材料が繊維で強化されない、請求項１〜５のいずれか一項に記載の靴底用の安定要素。
【請求項７】
前記第１のプレート、前記第２のプレート、および前記第３のプレートが同じベース材料から作製される、請求項１〜６のいずれか一項に記載の靴底用の安定要素。
【請求項８】
前記第１のプレート、前記第２のプレート、および前記第３のプレートのベース材料がポリアミドである、請求項１〜７のいずれか一項に記載の靴底用の安定要素。
【請求項９】
前記第３のプレートが１〜３ｍｍの厚さである、請求項１〜８のいずれか一項に記載の靴底用の安定要素。
【請求項１０】
前記第３のプレートの曲げ剛性が前記第２のプレートの曲げ剛性の少なくとも２倍である、請求項１〜９のいずれか一項に記載の靴底用の安定要素。
【請求項１１】
前記第２のプレートの曲げ剛性が前記第１のプレートの曲げ剛性の少なくとも２倍である、請求項１〜１０のいずれか一項に記載の靴底用の安定要素。
【請求項１２】
前記第１のプレートの弾性率が６００〜１５００ＭＰａである、請求項１〜１１のいずれか一項に記載の靴底用の安定要素。
【請求項１３】
前記第２のプレートの弾性率が２０００〜４０００ＭＰａである、請求項１〜１２のいずれか一項に記載の靴底用の安定要素。
【請求項１４】
前記第３のプレートの弾性率が９０００〜１３０００ＭＰａである、請求項１〜１３のいずれか一項に記載の靴底用の安定要素。
【請求項１５】
前記第３のプレートが、前記安定要素の長手方向に配置されたリブを備える、請求項１〜１４のいずれか一項に記載の靴底用の安定要素。
【請求項１６】
前記第２のプレートが、前記安定要素の長手方向に配置されたリブを備える、請求項１〜１５のいずれか一項に記載の靴底用の安定要素。
【請求項１７】
前記第３のプレートのリブが、前記第２のプレートのリブと一致する、請求項１６に記載の靴底用の安定要素。
【請求項１８】
前記第３のプレートの前記リブが１〜３ｍｍの高さを有する、請求項１５〜１７のいずれか一項に記載の靴底用の安定要素。
【請求項１９】
前記第２のプレートの前記リブが１〜５ｍｍの高さを有する、請求項１６〜１８のいずれか一項に記載の靴底用の安定要素。
【請求項２０】
前記第３のプレートの材料が、０℃で４％以下の破壊歪を有する、請求項１〜１９のいずれか一項に記載の靴底用の安定要素。
【請求項２１】
前記安定要素が、前記安定要素が組み込まれることになる靴の着用者の足全体を実質的にカバーする、請求項１〜２０のいずれか一項に記載の靴底用の安定要素。
【請求項２２】
前記第１のプレートの前記開口が、前記安定要素が組み込まれることになる靴の外側に前記第２のプレートおよび前記第３のプレートが延びないように配置される、請求項１〜２１のいずれか一項に記載の靴底用の安定要素。
【請求項２３】
ａ．アウトソールと、
ｂ．アッパーと、
ｃ．前記アウトソールと前記アッパーとの間に配置された、請求項１〜２２のいずれか一項に記載の安定要素とを備える、靴、特に登山靴。
【請求項２４】
前記アウトソールと前記安定要素との間に配置されたミッドソールを備える、請求項２３に記載の靴。
【請求項２５】
前記アウトソールがゴムから作製される、請求項２３または２４に記載の靴。
【発明の詳細な説明】
【技術分野】
【０００１】
本発明は、靴、特に登山靴用の安定要素、およびそのような安定要素を備える靴に関する。
【背景技術】
【０００２】
登山靴は、急勾配であり起伏のある地形において着用者の足をサポートし、石や氷によって引き起こされる怪我から足を保護し、必要であればアイゼンの取付けを可能にするために必要とされる。したがって、登山靴は通常、非常に剛性の高い靴底を有し、すなわち、靴底をある程度湾曲させるのに必要とされる力および／またはトルクは、例えばランニングシューズなど他のタイプの靴に比べて高い。このために、典型的な登山靴は、ゴム製のアウトソールの直ぐ上に剛性プレートを有し、剛性プレートの上にクッションミッドソールを有するサンドイッチ構造を含む。
【０００３】
例えば、米国再発行特許４０，４７４Ｅ号は、スポーツシューズ用の多層の靴底に関する。この靴底は、３層を備え、可撓性、接地性、および耐摩耗性を有する外側または接地靴底と、足のすぐ下に位置決めされ、弾性衝撃吸収特性を有する上側またはコンフォート層と、接触層の上側部分とコンフォート層の下側部分との間に直に位置決めされた中間層またはリブとを含み、中間層またはリブは、コンタクト層によって感知された衝撃の分散と、衝撃が足に達する前のコンフォート層にわたる衝撃の拡散との両方を提供するねじり剛性を有する。
【０００４】
欧州特許出願公開第０  ９８１  ９７３  Ａ１号は、スポーツシューズ、特に登山またはハイキングブーツ用の中底に関し、プラスチック材料製の解剖学的に形作られた本体と、本体に埋め込まれた補強インサートとを有する。インサートは、長手方向にリブの付いた構造を有し、中底の高い度合いのねじり剛性を提供するのに十分に広い、足裏に沿って延びる主要部分と、主要部分から延在し、実質的に中足部で主要部分に接続された狭い前側付属部品とを含む。
【０００５】
しかし、そのような従来技術の靴底は、いくつかの欠点を有する。第１に、靴底の剛性を高めるために使用される剛性プレートは、特に（典型的には高い標高で受ける）低温で脆くなりやすく、したがって補強および断熱を必要とする。しかし、そのような手段は、そのような靴底の重量を増す。第２に、ゴム製アウトソールの上に配置された剛性プレートは、地面へのアウトソールの適応性を低下させ、これはさらに、トラクション性を低下させる。
【先行技術文献】
【特許文献】
【０００６】
【特許文献１】米国再発行特許４０，４７４Ｅ号
【特許文献２】欧州特許出願公開第０  ９８１  ９７３  Ａ１号
【発明の概要】
【発明が解決しようとする課題】
【０００７】
したがって、本発明の目的は、靴、特に登山靴用の安定要素であって、靴に高い度合いの剛性を提供することができ、特に低温で耐久性があり、それでも軽量であり、トラクション性を損なわない安定要素を提供することである。
【課題を解決するための手段】
【０００８】
本発明の第１の態様によれば、この問題は、靴底、特に登山靴用の安定要素であって、（ａ．）少なくとも１つの開口を備える第１のプレートと、（ｂ．）開口内に少なくとも一部配置された第２のプレートと、（ｃ．）開口内に少なくとも一部配置され、第２のプレートの上に少なくとも一部配置された第３のプレートとを備え、第３のプレートが、第２のプレートよりも実質的に高い剛性を有する、安定要素によって解決される。
【０００９】
本発明による安定要素では、第３のプレートは、第２のプレートよりも実質的に（すなわち製造公差内で）より高い剛性を有し、第２のプレートの上に、すなわち着用者の足のより近くに配置される。より可撓性のある第２のプレートの上（すなわち足のより近く）への剛性の第３のプレートの配置は、安定要素に、したがって安定要素が組み込まれることになる靴底に高い度合いの剛性を提供する。
【００１０】
さらに、剛性の硬い第３のプレートは、足と第２のプレート（および完成した靴でのアウトソールおよびミッドソール）との間で断熱される。この構成は、一方では、例えば岩または氷の衝突による剛性の硬い第３のプレートの割れの危険を回避または少なくとも減少する。他方で、断熱構成は、剛性の硬い第３のプレートの温度を許容範囲内で保ち、それにより、第３のプレートが脆くなる危険を回避または少なくとも減少する。この構成により、剛性の硬い第３のプレートの追加の補強または断熱は必要とされない。通常、そのような追加の補強または断熱は、安定要素が組み込まれる靴底の重量を増す。
【００１１】
したがって、第３のプレートは、足の傍への配置による断熱により、はるかに高い剛性を有することができ、この配置により、湾曲をほとんど受けない。
【００１２】
さらに、安定要素が組み込まれることになる靴底において、剛性の硬い第３のプレートがアウトソールから（それらの間にある第２のプレートによって）離隔されているので、靴底は、地面に対してより適応性が高く、トラクション性が高められる。なぜなら、アウトソールにより近い第２のプレートは、第３のプレートよりも剛性が低いからである。さらに、本発明によるプレートの構成によって、登山靴のための所要の剛性と歩きやすさとの間のバランスが実現される。
【００１３】
最後に、第２のプレートおよび第３のプレートは、第１のプレートの開口内に収容される。このようにして、第１のプレートは、第２のプレート、および特に剛性の硬い第３のプレートを外部から、例えば岩および氷から保護する。さらに、第１のプレートは、断熱を提供し、硬い剛性の第３のプレートの温度を許容範囲内で維持する助けをし、それにより、第３のプレートが脆くなる危険を回避または少なくとも減少する。
【００１４】
第２のプレートは、第１のプレートよりも実質的に高い剛性を有することができる。このようにすると、第２のプレートは、安定要素の全体的な剛性を加える。しかし、第２のプレートの剛性は、第３のプレートの剛性よりも実質的に低いので、低温は、（アウトソールにより近く、かつ足から遠くに配置された）第２のプレートに関しては、剛性の硬い第３のプレートほど重大ではない。さらに、第２のプレートのより低い剛性により、アウトソールは、地面に対してより適応性が高く、トラクション性が改良される。
【００１５】
第２のプレートのベース材料および第３のプレートのベース材料は、繊維で強化することができる。繊維強化材は、材料の剛性を増加させるための非常に効果的な手段である。さらに、繊維強化材の程度、すなわち繊維密度を変えることによって、プレートの剛性および弾性を容易に厳密に調節することができる。
【００１６】
第２のプレートは、５％〜２０％の繊維強化材を含むことがあり、第３のプレートは、２０％〜５０％の繊維強化材を含むことがある。好ましい実施形態では、第２のプレートは、約１５％の繊維強化材を含むことがあり、第３のプレートは、約５０％の繊維強化材を含むことがある。これらの繊維強化材の程度は、安定要素の十分な剛性をもたらし、それと同時に、プレートが低温で脆くなる危険を制限することが判明している。
【００１７】
繊維は、ガラス繊維でよい。ガラス繊維は、容易に入手可能であり、取扱いが比較的簡単であり、適切なベース材料に容易に適用することができる。
【００１８】
第１のプレートのベース材料は、繊維で強化されないこともある。したがって、（第２および第３のプレートのための一種のフレームを形成する）第１のプレートが低温で脆くなる危険は少なくとも減少される。
【００１９】
第１のプレート、第２のプレート、および第３のプレートは、同じベース材料から作製することができる。同じベース材料の使用は、材料が異なる場合よりも材料同士の結合を容易にする。これは、安定要素の製造を容易にし、その耐久性を増す。
【００２０】
第１のプレート、第２のプレート、および第３のプレートのベース材料は、ポリアミドでよい。ポリアミドは、従来の登山靴で使用されるナイロンよりもはるかに耐久性が高い。本発明による安定要素の構造は、ナイロンの代わりに、より脆性の高いポリアミドを使用できるようにする。さらに、ポリアミドは、複数回の使用後に、いかなる種類の永久変形も受けない。
【００２１】
さらに、第１のプレート、第２のプレート、および第３のプレートのベース材料は、ＴＰＵまたはポリエーテルブロックアミド（ＰＥＢＡ）でよい。さらに、第３のプレートは、その配置により非常に高い剛性にされることがあるので、第３のプレートのベース材料は、カーボンを含むこともできる。
【００２２】
第３のプレートは、約１〜３ｍｍの厚さでよい。そのような厚さは、十分な剛性があり、それと同時に比較的軽量の安定要素をもたらすことが判明している。
【００２３】
第３のプレートの曲げ剛性は、第２のプレートの曲げ剛性の少なくとも２倍でよい。このようにして、第３のプレートは、安定要素に所要の剛性を加え、その一方で、足と第２のプレートとの間でのその断熱構成が、第３のプレートが低温で脆くなる危険を回避または少なくとも減少する。さらに、より剛性の低い第２のプレートがアウトソールの近くに配置されるので、安定要素が組み込まれることになる靴底は、地面に対してより適応性が高いままである。
【００２４】
第２のプレートの曲げ剛性は、第１のプレートの曲げ剛性の少なくとも２倍でよい。第２のプレートは、安定要素の全体の剛性を増し、その一方で、第１のプレートは、低温で脆くなる危険なく、雪、氷、および岩に耐えるのに十分な延性を有して、外部に安全に延びることができる。
【００２５】
第１のプレートの弾性率は、６００〜１５００ＭＰａでよい。第２のプレートの弾性率は、２０００〜４０００ＭＰａでよい。第３のプレートの弾性率は、９０００〜１３０００ＭＰａでよい。好ましい実施形態では、第１のプレートの弾性率は、約１１００ＭＰａでよく、第２のプレートの弾性率は、約３０００ＭＰａでよく、第３のプレートの弾性率は、約１１５００ＭＰａでよい。これらの弾性率は、十分な剛性があり、それでも軽量で耐久性のある安定要素を提供することが判明している。
【００２６】
第３のプレートは、安定要素の長手方向に配置されたリブを備えることがある。さらに、第２のプレートは、安定要素の長手方向に配置されたリブを備えることがある。リブにより、使用される材料が減少するので軽量化される。さらに、長手方向（すなわち、安定要素が組み込まれる靴の踵部分から爪先部分への方向）でのリブは、湾曲の防止または少なくとも制限によって、曲げ剛性を高める。
【００２７】
第３のプレートのリブは、第２のプレートのリブと一致することがある。この構成では、第３のプレートでのリブが第２のプレートでの対応するリブと係合するので、高い剛性を実現することができる。
【００２８】
第３のプレートのリブは、約１〜３ｍｍの高さを有することがある。第２のプレートのリブは、１〜５ｍｍの高さを有することがある。そのような高さは、十分な曲げ剛性を提供し、それと同時に、安定要素が湾曲されたときにリブの歪を十分に低く保つことが判明している。
【００２９】
第３のプレートの材料は、０℃で４％の破壊歪を有することがある。本発明による安定要素におけるプレートの有利な構成によって、第３のプレートの歪は、極端な湾曲角度でさえ、この限度の十分に下である。
【００３０】
安定要素は、安定要素が組み込まれることになる靴の着用者の足全体を実質的にカバーするように適合させることができる。このようにして、高い曲げ剛性が、足の全長にわたって実現される。
【００３１】
第１のプレートの開口は、第２のプレートおよび第３のプレートが、安定要素が組み込まれることになる靴の外側に延びないように配置することができる。したがって、第２のプレート、および特に剛性の硬い第３のプレートは、外部から、特に低温、岩、または氷から保護される。
【００３２】
本発明のさらなる態様は、（ａ．）アウトソールと、（ｂ．）アッパーと、（ｃ．）アウトソールとアッパーとの間に配置された、上述した安定要素とを備える靴、特に登山靴に関する。
【００３３】
この靴は、アウトソールと安定要素との間に配置されたミッドソールを備えることもある。ミッドソールは、靴に対するクッションを提供することができる。さらに、ミッドソールは、第２のプレート、および特に剛性の硬い第３のプレートをさらに断熱することができる。
【００３４】
アウトソールは、ゴムから作製することができる。ゴムは、容易に入手可能であり、耐久性があり、以上に良好なトラクション性を提供する。
【００３５】
以下、本発明のさらなる態様を、図面を参照して詳細に説明する。
【図面の簡単な説明】
【００３６】
【図１Ａ】本発明による安定要素の例示的実施形態を示す図である。
【図１Ｂ】図１Ａの実施形態の断面図である。
【図１Ｃ】図１Ａおよび図１Ｂの安定要素の第３のプレートをより詳細に示す図である。
【図２Ａ】１５°の湾曲角度での歪に関する本発明による安定要素の例示的実施形態の有限要素解析を示す図である。
【図２Ｂ】６０°の湾曲角度での歪に関する本発明による安定要素の例示的実施形態の有限要素解析を示す図である。
【図３】３０°の湾曲角度での歪に関する本発明による安定要素の例示的実施形態の有限要素解析を示す図である。
【図４】３０°の湾曲角度での歪に関する本発明による安定要素の例示的実施形態の有限要素解析を示す図である。
【図５】本発明による靴の例示的実施形態を示す図である。
【発明を実施するための形態】
【００３７】
以下、本発明の実施形態および変形形態を詳細に述べる。
【００３８】
図１Ａ、図１Ｂ、および図１Ｃは、本発明による安定要素１０の例示的実施形態を示し、ここで、図１Ｂは、安定要素１０の断面図を示し、図１Ｃは、安定要素１０の第３のプレート１４をより詳細に示す。安定要素１０は、第１のプレート１１と、第２のプレート１３と、第３のプレート１４とを備える。第１のプレート１１は、図１Ｃに示されるように少なくとも１つの開口１２を備える。第２のプレート１３は、開口１２内に少なくとも一部配置される。第１のプレート１４も、開口１２内に少なくとも一部配置される。例えば、図１Ｂからわかるように、第２のプレート１３および第３のプレート１４の境界は、第１のプレート１１の開口１２の対応する境界に重なる。しかし、第２のプレート１３および第３のプレート１４の大部分は、第１のプレート１１の開口１２内に完全に配置される。
【００３９】
さらに、第３のプレート１４は、第２のプレート１３の上に少なくとも一部配置される。これは、第３のプレート１４が、本発明による安定要素１０が組み込まれることになる靴の着用者の足のより近くに配置されることを意味する。同様に、第２のプレート１３は、安定要素１０が組み込まれることになる靴のアウトソールのより近くに配置される。
【００４０】
さらに、第３のプレート１４は、第２のプレート１３よりも実質的に高い剛性を有する。プレートおよび／または安定要素を湾曲させることによって剛性を測定することができ、それと同時に、特定の角度にプレートおよび／または安定要素を湾曲させるために必要とされる力および／またはトルクを測定する。剛性は、同じ湾曲角度を実現するためにより高い力および／またはトルクが必要とされる場合に、より高い。
【００４１】
第１のプレート１１、第２のプレート１３、および第３のプレート１４のベース材料は、例えばポリアミドでよい。ＴＰＵやポリエーテルブロックアミド（ＰＥＢＡ）など他の材料も可能である。第３のプレート１４の材料は、カーボンをベースとしたものでよい。第１のプレート１１、第２のプレート１３、および第３のプレート１４は、同じベース材料から作製することができる。代替として、異なるベース材料を使用することもできる。一般に、第３のプレート１４の材料は、例えば、０℃で４％の破壊歪を有することがある。本発明による安定要素の構造は、極限状況でさえ、第３のプレート１４の歪がこのレベルよりも十分に小さいことを保証する。
【００４２】
第２のプレート１３および第３のプレート１４の材料は、例えばガラス繊維やカーボン繊維などの繊維で強化することができる。例えば、第２のプレート１３は、約１５％の繊維強化材を含むことがあり、第３のプレート１４は、約５０％の繊維強化材を含むことがある。第１のプレート１１は、繊維で全く強化されなくてもよい。その結果、第２のプレート１３の剛性は、第１のプレート１１の剛性よりも高い。例えば、第２のプレート１３の曲げ剛性は、第１のプレート１１のこの曲げ剛性の少なくとも２倍でよい。さらに、異なる度合いの繊維強化により、第３のプレート１４の曲げ剛性は、第２のプレート１３の曲げ剛性の少なくとも２倍でよい。望ましい剛性の度合いは、繊維強化材以外の手段によって、例えばプレートのための異なる材料の使用によって実現することもできる。
【００４３】
第１のプレートの弾性率は、６００〜１５００ＭＰａでよい。第２のプレートの弾性率は、２０００〜４０００ＭＰａでよい。第３のプレートの弾性率は、９０００〜１３０００ＭＰａでよい。特に、第１のプレート１１の弾性率は、約１１００ＭＰａでよい。第２のプレート１３の弾性率は、約３０００ＭＰａでよく、第３のプレート１４の弾性率は、約１１５００ＭＰａでよい。
【００４４】
図１Ａ、図１Ｂ、および図１Ｃの例示的実施形態では、第３のプレート１４は、厚さが約１ｍｍである。本発明によるプレートの構成により、この厚さは、安定要素１０全体の望ましい高い剛性を実現するのに十分である。
【００４５】
図１Ａ、図１Ｂ、および図１Ｃの例示的実施形態では、第３のプレート１４はリブを備え、リブのうちの２つに参照番号１５が付されている。リブ１５は、安定要素１０の長手方向、すなわち安定要素１０が組み込まれることになる靴の踵部分から爪先部分の方向に配置される。第３のプレート１４のリブ１５は、約１〜３ｍｍの高さを有する。
【００４６】
また、図１Ａ、図１Ｂ、および図１Ｃの例示的実施形態で、第２のプレート１３はリブを備え、リブのうちの２つに参照番号１６が付されている。リブ１６は、安定要素１０の長手方向に配置され、約１〜５ｍｍの高さを有する。図１Ｂに示されるように、第３のプレート１４のリブ１５は、第２のプレート１３のリブ１６と一致する。しかし、リブは一致しなくてもよい。
【００４７】
図１Ａに示されるように、安定要素１０は、安定要素が組み込まれることになる靴の着用者の足全体を実質的にカバーする。したがって、安定要素は、踵部分１７ａから中足部分１７ｂを越えて爪先部分１７ｃまで延在する。
【００４８】
さらに、図１Ａ、図１Ｂ、および図１Ｃに示されるように、第１のプレート１１の開口１２は、安定要素１０が組み込まれることになる靴の外側に第２のプレート１３および第３のプレート１４が延びないように配置される。したがって、第１のプレート１１は、縁部１８を提供し、縁部１８は、第２のプレート１３および第３のプレート１４を外部から、例えば岩や氷から保護する。
【００４９】
図１Ａおよび図１Ｃに示されるように、安定要素１０の第１のプレート１１は、踵部分に第２の開口１９を備えることができる。クッションまたは衝撃吸収部材（図示せず）を開口１９内に配置することができる。
【００５０】
さらに、図１Ａおよび図１Ｃに示されるように、安定要素１０は、踵部分１７ａに、踵支持部材１１０を任意選択で備えることができる。図１Ａおよび図１Ｃの例示的実施形態では、踵支持部材１１０は、カップ形状であり、安定要素１０が組み込まれることになる靴の着用者の足の踵を完全に取り囲む。しかし、踵支持部材１１０が踵の一部のみをカバーすることも可能である。さらに、図１Ａおよび図１Ｃの例示的実施形態では、踵支持部材１１０は、第１のプレート１１と一体形成される。これは、全体の強度および安定性を増し、より単純な構造を与える。しかし、踵支持部材１１０が、例えば接着または溶接によって第１のプレート１１に取り付けられることも可能である。
【００５１】
図２Ａは、本発明による安定要素１０の有限要素解析を示す。特に、１５°の湾曲角度での歪レベル（％）が示される。第３のプレート１４の歪は約０％であり、これは、非常に低温でさえ、プレートを破壊する危険がないことを意味する。また、有限要素解析は、１５°の湾曲角度でのプレート剛性が約２７Ｎｍであることも示す。
【００５２】
図２Ｂは、本発明による安定要素１０の有限要素解析を示す。特に、６０°の湾曲角度での歪レベル（％）が示される。第３のプレート１４の歪は、０％〜約１％の間であり、これは、非常に低温でさえ、プレートを破壊する危険がほとんどないことを意味する。図２Ｂに示されるように、第２のプレート１３の歪はより高く、すなわち約４％である。しかし、第２のプレート１３は、第３のプレート１４よりも実質的に低い剛性を有するので、特に低温で脆性がより低く、第２のプレート１３を破壊する危険は低い。
【００５３】
図３は、本発明による安定要素１０の有限要素解析を示す。特に、３０°の湾曲角度での歪レベル（％）が示されている。見て分かるように、第１のプレート１１および第２のプレート１３の応力は比較的低く、第３のプレート１４は、中程度の応力レベルを受ける。したがって、主に第３のプレート１４が、安定要素１０の剛性を請け負う。
【００５４】
図４は、本発明による安定要素１０の有限要素解析を示す。特に、湾曲要素１０のほぼ全体にわたる３０°の湾曲角度での歪レベル（％）が示されている。第３のプレート１４に関して、歪レベルは適度であり、最大で約１％である。踵支持部材１１０の領域でも、歪レベルは４％を超えず、ほとんどの部分で約２％である。これは、踵支持部材１１０を破壊する危険が比較的低いことを意味する。
【００５５】
図５は、本発明による靴５０の例示的実施形態を示す。靴５０は、アウトソール５１、アッパー５２、ミッドソール５３、およびミッドソール５３とアッパー５２との間に配置された上述したような安定要素１０を備える登山靴である。安定要素１０は、靴５０の他の構成要素、例えば、アウトソール５１、アッパー５２、ミッドソール５３などに、接着、縫付け、溶接、または他の方法で固定される。アウトソール５１は、ゴムから作製することができ、アッパー５２は、ポリエステルなど従来の材料から作製することができる。
【００５６】
また、靴５０は、アウトソール５１と安定要素１０との間に配置されたミッドソール５３も備える。しかし、そのようなミッドソールは、任意選択の要素であり、特定の実施形態では省くことができる。
【００５７】
以下、本発明の理解を容易にするためにさらなる実施形態が提供される。
［１］靴底、特に登山靴用の安定要素（１０）であって、
ａ．少なくとも１つの開口（１２）を備える第１のプレート（１１）と、
ｂ．前記開口（１２）内に少なくとも一部配置された第２のプレート（１３）と、
ｃ．前記開口（１２）内に少なくとも一部配置され、前記第２のプレート（１３）の上に少なくとも一部配置された第３のプレート（１４）とを備え、前記第３のプレート（１４）が、前記第２のプレート（１３）よりも実質的に高い剛性を有する、
安定要素（１０）。
［２］前記第２のプレート（１３）が、前記第１のプレート（１１）よりも実質的に高い剛性を有する、［１］に記載の靴底用の安定要素（１０）。
［３］前記第２のプレート（１３）のベース材料および前記第３のプレート（１４）のベース材料が繊維で強化される、［１］または［２］に記載の靴底用の安定要素（１０）。
［４］前記第２のプレート（１３）が５％〜２０％の繊維強化材を含み、前記第３のプレート（１４）が２０％〜５０％の繊維強化材を含む、［３］に記載の靴底用の安定要素（１０）。
［５］前記繊維がガラス繊維である、［３］または［４］に記載の靴底用の安定要素（１０）。
［６］前記第１のプレート（１１）の前記ベース材料が繊維で強化されない、［１］〜［５］のいずれか一項に記載の靴底用の安定要素（１０）。
［７］前記第１のプレート（１１）、前記第２のプレート（１３）、および前記第３のプレート（１４）が同じベース材料から作製される、［１］〜［６］のいずれか一項に記載の靴底用の安定要素（１０）。
［８］前記第１のプレート（１１）、前記第２のプレート（１３）、および前記第３のプレート（１４）の前記ベース材料がポリアミドである、［１］〜［７］のいずれか一項に記載の靴底用の安定要素（１０）。
［９］前記第３のプレート（１４）が約１〜３ｍｍの厚さである、［１］〜［８］のいずれか一項に記載の靴底用の安定要素（１０）。
［１０］前記第３のプレート（１４）の曲げ剛性が前記第２のプレート（１３）の曲げ剛性の少なくとも２倍である、［１］〜［９］のいずれか一項に記載の靴底用の安定要素（１０）。
［１１］前記第２のプレート（１３）の曲げ剛性が前記第１のプレート（１１）の曲げ剛性の少なくとも２倍である、［１］〜［１０］のいずれか一項に記載の靴底用の安定要素（１０）。
［１２］前記第１のプレート（１１）の弾性率が６００〜１５００ＭＰａである、［１］〜［１１］のいずれか一項に記載の靴底用の安定要素（１０）。
［１３］前記第２のプレート（１３）の弾性率が２０００〜４０００ＭＰａである、［１］〜［１２］のいずれか一項に記載の靴底用の安定要素（１０）。
［１４］前記第３のプレート（１４）の弾性率が９０００〜１３０００ＭＰａである、［１］〜［１３］のいずれか一項に記載の靴底用の安定要素（１０）。
［１５］前記第３のプレート（１４）が、前記安定要素（１０）の長手方向に配置されたリブ（１５）を備える、［１］〜［１４］のいずれか一項に記載の靴底用の安定要素（１０）。
［１６］前記第２のプレート（１３）が、前記安定要素（１０）の長手方向に配置されたリブ（１６）を備える、［１］〜［１５］のいずれか一項に記載の靴底用の安定要素（１０）。
［１７］前記第３のプレート（１４）の前記リブ（１５）が、前記第２のプレート（１３）の前記リブ（１６）と一致する、［１５］または［１６］に記載の靴底用の安定要素（１０）。
［１８］前記第３のプレート（１４）の前記リブ（１５）が約１〜３ｍｍの高さを有する、［１５］〜［１７］のいずれか一項に記載の靴底用の安定要素（１０）。
［１９］前記第２のプレート（１３）の前記リブ（１６）が約１〜５ｍｍの高さを有する、［１６］〜［１８］のいずれか一項に記載の靴底用の安定要素（１０）。
［２０］前記第３のプレート（１４）の材料が、０℃で４％の破壊歪を有する、［１］〜［１９］のいずれか一項に記載の靴底用の安定要素（１０）。
［２１］前記安定要素（１０）が、前記安定要素（１０）が組み込まれることになる靴の着用者の足全体を実質的にカバーする、［１］〜［２０］のいずれか一項に記載の靴底用の安定要素（１０）。
［２２］前記第１のプレート（１１）の前記開口（１２）が、前記安定要素（１０）が組み込まれることになる靴の外側に前記第２のプレート（１３）および前記第３のプレート（１４）が延びないように配置される、［１］〜［２１］のいずれか一項に記載の靴底用の安定要素（１０）。
［２３］ａ．アウトソールと、
ｂ．アッパーと、
ｃ．前記アウトソールと前記アッパーとの間に配置された、［１］〜［２２］のいずれか一項に記載の安定要素（１０）とを備える、
靴、特に登山靴。
［２４］前記アウトソールと前記安定要素（１０）との間に配置されたミッドソールを備える、［２３］に記載の靴。
［２５］前記アウトソールがゴムから作製される、［２３］または［２４］に記載の靴。
【符号の説明】
【００５８】
１０  安定要素
１１  第１のプレート
１２  開口
１３  第２のプレート
１４  第３のプレート
１５  リブ
１７ａ  踵部分
１７ｂ  中足部分
１７ｃ  爪先部分
１９  第２の開口
５１  アウトソール
５２  アッパー
５３  ミッドソール
１１０  踵支持部材
【図１Ａ】
0006513042.tif 000002
【図１Ｂ】
0006513042.tif 000003
【図１Ｃ】
0006513042.tif 000004
【図２Ａ】
0006513042.tif 000005
【図２Ｂ】
0006513042.tif 000006
【図３】
0006513042.tif 000007
【図４】
0006513042.tif 000008
【図５】
0006513042.tif 000009